(57)【要約】【課題】カバレージエリア内の利用可能な複数のネットワークからネットワーク選択を好適に行える方法を提供する。【解決手段】本発明によるネットワーク選択方法は、所在域において、ユーザ装備（ＵＥ）装置によっての走査を介して探し出される利用可能なパブリック陸上移動通信網（ＰＬＭＮ）のリストを識別すること（４０４）と、各々の該利用可能ＰＬＭＮに関連される印をユーザへ提供すること（４０６）と、および少なくともある程度、登録のための該印に基づいて、該ユーザによって特定のＰＬＭＮを選択すること（４０８）とを包含する。【選択図】図４
2006197608.tif 000002
【特許請求の範囲】
【請求項１】
ネットワーク選択方法であって、該方法は、
所在域において、ユーザ装備（ＵＥ）装置（１０２）によっての走査を介して探し出される利用可能なパブリック陸上移動通信網（ＰＬＭＮ）のリストを識別すること（４０４）と、
各々の該利用可能ＰＬＭＮに関連される印（３２５）をユーザへ提供すること（４０６）と、
少なくとも一部分、登録のための該印（３２５）に基づいて、該ユーザによって特定のＰＬＭＮを選択すること（４０８）と
を包含する、方法。
【請求項２】
前記特定のＰＬＭＮが、汎用パケット無線システム（ＧＰＲＳ）ネットワーク、グローバル移動体通信システム（ＧＳＭ）進化型高速データレート（ＥＤＧＥ）ネットワーク、第三世代パートナーシッププロジェクト（３ＧＰＰ）規格ネットワーク、Ｉｎｔｅｇｒａｔｅｄ  Ｄｅｇｉｔａｌ  Ｅｎｈａｎｃｅｄ  Ｎｅｔｗｏｒｋ（ＩＤＥＮ）、符号分割多重接続（ＣＤＭＡ）ネットワーク、ユニバーサル移動体通信システム（ＵＭＴＳ）ネットワーク、および時分割多重接続（ＴＤＭＡ）ネットワークから成る群から選択される広域セルラーネットワークを備える、請求項１に記載のネットワーク選択方法。
【請求項３】
前記利用可能なＰＬＭＮの少なくとも一部分が、セルラー電話通信帯域において、前記ＵＥ装置（１０２）によって実施される広帯域走査処理にて探し出される、請求項１または請求項２に記載のネットワーク選択方法。
【請求項４】
前記利用可能なＰＬＭＮの少なくとも一部分が、前記ＵＥ装置（１０２）によって実施される無線アクセスネットワーク走査処理にて探し出される、請求項１、または請求項２に記載のネットワーク選択方法。
【請求項５】
前記無線アクセスネットワーク走査処理が、ＩＥＥＥ  ８０２．１１ｂ規格、ＩＥＥＥ  ８０２．１１ａ規格、ＩＥＥＥ  ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格から成るグループから選択される無線構内情報通信網（ＷＬＡＮ）規格に従う周波数帯域において実施される、請求項４に記載のネットワーク選択方法。
【請求項６】
前記利用可能なＰＬＭＮから異なったＰＬＭＮを選択する（４１２）ことをさらに包含する、請求項１、請求項２、請求項３、請求項４、または、請求項５に記載のネットワーク選択方法。
【請求項７】
前記利用可能なＰＬＭＮの少なくとも一部分が、前記ＵＥ装置（１０２）に関連する契約者識別についてのＥｑｕｉｖａｌｅｎｔ  Ｈｏｍｅ  ＰＬＭＮである、請求項１、請求項２、請求項３、請求項４、請求項５、または、請求項６に記載のネットワーク選択方法。
【請求項８】
前記ＵＥ装置（１０２）に備わるデータベース構成（３００Ｂ）において記憶される前記印（３２５）が、各々の前記ＰＬＭＮを識別する固有の名前を備える、請求項１、請求項２、請求項３、請求項４、請求項５、請求項６、または、請求項７に記載のネットワーク選択方法。
【請求項９】
前記データベース構成（３００Ｂ）が、前記ＵＥ装置（１０２）と共に動作可能な、契約者識別モジュール（ＳＩＭ）カードおよび着脱可能ユーザ識別モジュール（ＲＵＩＭ）カードのうちの１つにおいてのファイルとして提供される、請求項８に記載のネットワーク選択方法。
【請求項１０】
前記データベース構成（３００Ｂ）が、前記ＵＥ装置と合体するメモリモジュールにおいて記憶される、請求項８に記載のネットワーク選択方法。
【請求項１１】
ユーザ装備（ＵＥ）装置（７００）であって、該装置は、
所在域において利用可能なパブリック陸上移動通信網（ＰＬＭＮ）を探し出すためにセルラー帯域において走査するように動作可能なトランシーバモジュール（７０６）を含む通信サブシステム（７０４）と、
該セルラー帯域においての走査を介して探し出される利用可能なＰＬＭＮのリストを識別するように動作可能なロジックモジュール（７４０）と、
各々の該ＰＬＭＮに関連する印（３２５）を該ユーザへ提示するロジックモジュールであって、それによって、ユーザが、少なくとも一部分、登録のための該印（３２５）に基づいて特定のＰＬＭＮを選択することによって、ロジックモジュール（７４０）と
を備えるユーザ装備（ＵＥ）装置。
【請求項１２】
前記特定のＰＬＭＮが、汎用パケット無線システム（ＧＰＲＳ）ネットワーク、グローバル移動体通信システム（ＧＳＭ）進化型高速データレート（ＥＤＧＥ）ネットワーク、第三世代パートナーシッププロジェクト（３ＧＰＰ）規格ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、ユニバーサル移動体通信システム（ＵＭＴＳ）ネットワーク、および時分割多重接続（ＴＤＭＡ）ネットワークから成るグループから選択される広域セルラーネットワークを備える、請求項１１に記載のＵＥ装置（７００）。
【請求項１３】
前記通信サブシステムが、無線アクセスネットワーク走査処理に従う周波数帯域において走査するように動作可能なトランシーバモジュール（７０８）をさらに備え、該周波数帯域が、ＩＥＥＥ  ８０２．１１ｂ規格、ＩＥＥＥ  ８０２．１１ａ、ＩＥＥＥ  ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格から成る群から選択される無線構内情報通信網（ＷＬＡＮ）規格を備える、請求項１１、または、請求項１２に記載のＵＥ装置。
【請求項１４】
前記利用可能なＰＬＭＮの少なくとも一部分が、前記ＵＥ装置によって実施される無線アクセスネットワーク走査処理にて探し出される、請求項１３に記載のＵＥ装置（７００）。
【請求項１５】
前記印（３２５）が、各々の前記ＰＬＭＮを識別する固有の名前を備える、請求項１１、請求項１２、請求項１３、または、請求項１４に記載のＵＥ装置（７００）。
【請求項１６】
印（３２５）を提示する前記ロジックモジュール（７４０）が、前記ＵＥ装置（７００）に備わるデータベース構成（３００Ｂ）に応答して動作可能である、請求項１１、請求項１２、請求項１３、請求項１４、または、請求項１５に記載のＵＥ装置（７００）。
【請求項１７】
前記データベース構成（３００Ｂ）が、前記ＵＥ装置（７００）と共に動作可能な、契約者識別モジュール（ＳＩＭ）カードおよび着脱可能ユーザ識別モジュール（ＲＵＩＭ）カードのうちの１つにおいてのファイルとして提供される、請求項１６に記載のＵＥ装置（７００）。
【請求項１８】
前記データベース構成（３００Ｂ）が、前記ＵＥ装置（７００）と合体するメモリモジュール（７３８）において記憶される、請求項１６に記載のＵＥ装置（７００）。
【発明の詳細な説明】
【技術分野】
【０００１】
本発明の開示は、一般的にコミュニケーションネットワークに関する。より特定的に、しかしながら限定されずに、本発明の出願は、複数のネットワークがカバレージエリアにおいて利用可能な場合のネットワークのためのスキームに関する。
【背景技術】
【０００２】
無線ネットワークが展開される場合、無線ネットワークを識別することが可能なサービスを得ることを望む無線ユーザ装備（ＵＥ：Ｕｓｅｒ  Ｅｑｕｉｐｍｅｎｔ）装置のような識別子をブロードキャストする必要性がある。一般的な実施において、ネットワークの名前は、周知のセルラー電話通信規格に従って、ユーザへ表示され得る。複数のネットワークが同等物であるがためそれらが同じ名前である場合、ただその名前だけが、ユーザへ表示され、それによって、選択するネットワークにおいての任意のユーザの制御可能性が打ち消される。付加して、この側面は、複数のネットワークが異なった可能出力を有する場合、特に不利である。
【発明の開示】
【課題を解決するための手段】
【０００３】
一実施形態において、スキームは、カバレージエリアにおいて利用可能な複数のパブリック陸上移動通信網（ＰＬＭＮ：Ｐｕｂｌｉｃ  Ｌａｎｄ  Ｍｏｂｉｌｅ  Ｎｅｔｗｏｒｋ）を探し出すように動作可能な無線ＵＥ装置によるネットワーク選択を提供する。各々の探し出されるＰＬＭＮは識別され、そのＰＬＭＮに関連する印（ｉｎｄｉｃｉｕｍ）は、ユーザが特定のＰＬＭＮを選択できるように、ユーザへ提示される。
【０００４】
一局面において、ネットワーク選択方法が開示され、該ネットワーク選択方法は、カバレージエリアにおいてＵＥ装置による走査を介し探し出される利用可能なＰＬＭＮのリストを識別することと、各々の利用可能なＰＬＭＮに関連する印をユーザへ提示することと、少なくとも一部分、登録のための印に基づいて、ユーザによって特定のＰＬＭＮを選択することとを包含する。
【０００５】
さらなる一局面において、ＵＥ装置が開示され、該ＵＥ装置は、所在域において利用可能なパブリック陸上移動通信網（ＰＬＭＮ）を探し出すためにセルラー帯域においての走査するように動作可能なトランシーバモジュールを含む通信サブシステムと、セルラー帯域においての走査を介して探し出される利用可能なＰＬＭＮのリストを識別するよいうに動作可能なロジックモジュールと、ユーザが、少なくとも一部分、登録のための印に基づいて特定のＰＬＭＮを選択することによって、各々のＰＬＭＮに関連する印をユーザへ提示するためのロジックモジュールとを備える。
【０００６】
本発明は、さらに以下の手段を提供する。
（項目１）  
ネットワーク選択方法であって、該方法は、
所在域において、ユーザ装備（ＵＥ）装置（１０２）によっての走査を介して探し出される利用可能なパブリック陸上移動通信網（ＰＬＭＮ）のリストを識別すること（４０４）と、
各々の該利用可能ＰＬＭＮに関連される印（３２５）をユーザへ提供すること（４０６）と、
少なくとも一部分、登録のための該印（３２５）に基づいて、該ユーザによって特定のＰＬＭＮを選択すること（４０８）と
を包含する、方法。
（項目２）
上記特定のＰＬＭＮが、汎用パケット無線システム（ＧＰＲＳ）ネットワーク、グローバル移動体通信システム（ＧＳＭ）進化型高速データレート（ＥＤＧＥ）ネットワーク、第三世代パートナーシッププロジェクト（３ＧＰＰ）規格ネットワーク、Ｉｎｔｅｇｒａｔｅｄ  Ｄｅｇｉｔａｌ  Ｅｎｈａｎｃｅｄ  Ｎｅｔｗｏｒｋ（ＩＤＥＮ）、符号分割多重接続（ＣＤＭＡ）ネットワーク、ユニバーサル移動体通信システム（ＵＭＴＳ）ネットワーク、および時分割多重接続（ＴＤＭＡ）ネットワークから成る群から選択される広域セルラーネットワークを備える、項目１に記載のネットワーク選択方法。
（項目３）
上記利用可能なＰＬＭＮの少なくとも一部分が、セルラー電話通信帯域において、上記ＵＥ装置（１０２）によって実施される広帯域走査処理にて探し出される、項目１または項目２に記載のネットワーク選択方法。
（項目４）
上記利用可能なＰＬＭＮの少なくとも一部分が、上記ＵＥ装置（１０２）によって実施される無線アクセスネットワーク走査処理にて探し出される、項目１、または項目２に記載のネットワーク選択方法。
（項目５）
上記無線アクセスネットワーク走査処理が、ＩＥＥＥ  ８０２．１１ｂ規格、ＩＥＥＥ  ８０２．１１ａ規格、ＩＥＥＥ  ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格から成るグループから選択される無線構内情報通信網（ＷＬＡＮ）規格に従う周波数帯域において実施される、項目４に記載のネットワーク選択方法。
（項目６）
上記利用可能なＰＬＭＮから異なったＰＬＭＮを選択する（４１２）ことをさらに包含する、項目１、項目２、項目３、項目４、または、項目５に記載のネットワーク選択方法。
（項目７）
上記利用可能なＰＬＭＮの少なくとも一部分が、上記ＵＥ装置（１０２）に関連する契約者識別についてのＥｑｕｉｖａｌｅｎｔ  Ｈｏｍｅ  ＰＬＭＮである、項目１、項目２、項目３、項目４、項目５、または、項目６に記載のネットワーク選択方法。
（項目８）
上記ＵＥ装置（１０２）に備わるデータベース構成（３００Ｂ）において記憶される上記印（３２５）が、各々の上記ＰＬＭＮを識別する固有の名前を備える、項目１、項目２、項目３、項目４、項目５、項目６、または、項目７に記載のネットワーク選択方法。
（項目９）
上記データベース構成（３００Ｂ）が、上記ＵＥ装置（１０２）と共に動作可能な、契約者識別モジュール（ＳＩＭ）カードおよび着脱可能ユーザ識別モジュール（ＲＵＩＭ）カードのうちの１つにおいてのファイルとして提供される、項目８に記載のネットワーク選択方法。
（項目１０）
上記データベース構成（３００Ｂ）が、上記ＵＥ装置と合体するメモリモジュールにおいて記憶される、項目８に記載のネットワーク選択方法。
（項目１１）
ユーザ装備（ＵＥ）装置（７００）であって、該装置は、
所在域において利用可能なパブリック陸上移動通信網（ＰＬＭＮ）を探し出すためにセルラー帯域において走査するように動作可能なトランシーバモジュール（７０６）を含む通信サブシステム（７０４）と、
該セルラー帯域においての走査を介して探し出される利用可能なＰＬＭＮのリストを識別するように動作可能なロジックモジュール（７４０）と、
各々の該ＰＬＭＮに関連する印（３２５）を該ユーザへ提示するロジックモジュールであって、それによって、ユーザが、少なくとも一部分、登録のための該印（３２５）に基づいて特定のＰＬＭＮを選択することによって、ロジックモジュール（７４０）と
を備えるユーザ装備（ＵＥ）装置。
（項目１２）
上記特定のＰＬＭＮが、汎用パケット無線システム（ＧＰＲＳ）ネットワーク、グローバル移動体通信システム（ＧＳＭ）進化型高速データレート（ＥＤＧＥ）ネットワーク、第三世代パートナーシッププロジェクト（３ＧＰＰ）規格ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、ユニバーサル移動体通信システム（ＵＭＴＳ）ネットワーク、および時分割多重接続（ＴＤＭＡ）ネットワークから成るグループから選択される広域セルラーネットワークを備える、項目１１に記載のＵＥ装置（７００）。
（項目１３）
上記通信サブシステムが、無線アクセスネットワーク走査処理に従う周波数帯域において走査するように動作可能なトランシーバモジュール（７０８）をさらに備え、該周波数帯域が、ＩＥＥＥ  ８０２．１１ｂ規格、ＩＥＥＥ  ８０２．１１ａ、ＩＥＥＥ  ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格から成る群から選択される無線構内情報通信網（ＷＬＡＮ）規格を備える、項目１１、または、項目１２に記載のＵＥ装置。
（項目１４）
上記利用可能なＰＬＭＮの少なくとも一部分が、上記ＵＥ装置によって実施される無線アクセスネットワーク走査処理にて探し出される、項目１３に記載のＵＥ装置（７００）。
（項目１５）
上記印（３２５）が、各々の上記ＰＬＭＮを識別する固有の名前を備える、項目１１、項目１２、項目１３、または、項目１４に記載のＵＥ装置（７００）。
（項目１６）
印（３２５）を提示する上記ロジックモジュール（７４０）が、上記ＵＥ装置（７００）に備わるデータベース構成（３００Ｂ）に応答して動作可能である、項目１１、項目１２、項目１３、項目１４、または、項目１５に記載のＵＥ装置（７００）。
（項目１７）
上記データベース構成（３００Ｂ）が、上記ＵＥ装置（７００）と共に動作可能な、契約者識別モジュール（ＳＩＭ）カードおよび着脱可能ユーザ識別モジュール（ＲＵＩＭ）カードのうちの１つにおいてのファイルとして提供される、項目１６に記載のＵＥ装置（７００）。
（項目１８）
上記データベース構成（３００Ｂ）が、上記ＵＥ装置（７００）と合体するメモリモジュール（７３８）において記憶される、項目１６に記載のＵＥ装置（７００）。
【０００７】
（摘要）
一実施形態において、スキームは、カバレージエリアにおいて利用可能な複数の陸上移動通信網（ＰＬＭＮ）を探し出すように動作可能なユーザ装備（ＵＥ）装置（１０２）によるネットワーク選択を提供する。各々の探し出されるＰＬＭＮは識別され、そのＰＬＭＮに関連する印（３２５）は、ユーザが特定のＰＬＭＮを選択できるように、ユーザへ提示される。
【発明を実施するための最良の形態】
【０００８】
添付の図面と共に以下の詳細な説明を参照すれば、本特許出願の実施形態をより完全に理解できよう。
【０００９】
本発明の開示のシステムおよび方法を、実施形態を最良に成しかつ利用する方法の多様な例を参照し、ここに説明する。説明と、図面のうち一部の図面とを通じ、同一の参照符号は同一または対応する部分を指すものとする。なお、多様な要素は必ずしも原寸大で図示してはいない。ここで図面を参照する。詳細には、図１を参照すると、一般的なネットワーク環境１００が図示されている。このネットワーク環境１００内で、本発明の開示の実施形態が実施され得る。ユーザ装備（ＵＥ）装置１０２は、任意のポータブルコンピュータ（たとえば、ラップトップ型、パームトップ型、またはハンドへルド型のコンピュータ機器）か、移動体通信機器（たとえば、携帯電話、または、メッセージの送受信が可能な、データ通信可能なハンドヘルド機器、または、ウェブブラウジング等）か、任意の、高度な携帯情報端末（ＰＤＡ）機器あるいは、電子メール、ビデオメール、インターネットアクセス、企業データアクセス、メッセージ通信、日程計画やスケジューリング、情報管理等が可能な、統合的な情報機器を備え得る。情報機器は、好ましくは、１つ以上の動作方式において、また、多様な周波数帯域において動作する。たとえば、ＵＥ装置１０２は、携帯電話の帯域の周波数においても、無線ローカルエリアネットワーク（ＷＬＡＮ：Ｗｉｒｅｌｅｓｓ  Ａｒｅａ  Ｎｅｔｗｏｒｋ）の帯域の周波数においても動作し得る。さらに、ＵＥ装置が無線で動作することが可能な他の帯域として、Ｗｉ−ＭＡＸ帯域あるいは１本以上のサテライト帯域が含まれ得る。例として、ネットワーク環境１００は、ＵＥ機器１０２へサービスを提供することが可能な２つの広いカテゴリーのコミュニケーションスペースで構成され、パブリック陸上移動通信網（ＰＬＭＮ）へのアクセスは本明細書中に示す教えに従って遂行され得る。広域セルラーネットワーク（ＷＡＣＮ：Ｗｉｄｅ  Ａｒｅａ  Ｃｅｌｌｕｌａｒ  Ｎｅｔｗｏｒｋ）スペース１０４において、携帯電話サービスを提供することが可能な任意の数のＰＬＭＮが存在し得る。携帯電話サービスは、パケット交換データサービスを含んでいてもよいし、含んでいなくてもよい。カバレージエリアに依存し、また、ユーザがサイトを見て回っているか否かに依存し、ＷＡＣＮスペース１０４は、多数のホームネットワーク１１０（すなわちホームＰＬＭＮまたはＨＰＬＭＮ、もしくは同等のＨＰＬＭＮまたはＥＨＰＬＭＮ）と、アクセスしたネットワーク（すなわちＶＰＬＭＮ）１１２とを含み得、それぞれは位置情報レジスタ（ＨＬＲ）ノード１１５や移動通信交換局（ＭＳＣ）ノード１１６等の適切なインフラストラクチャを有している。ＷＡＣＮスペース１０４は、グローバル移動体通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）ベースのキャリアネットワークのセルラーインフラストラクチャを用いて移動体通信機器にパケットラジオアクセスを提供する、汎用パケット無線システム（ＧＰＲＳ：Ｇｅｎｅｒａｌ  Ｐａｃｋｅｔ  Ｒａｄｉｏ  Ｓｅｒｖｉｃｅ）ネットワークをさらに含み得る。そのため、サービスを提供するＧＰＲＳサポートノード（ＳＧＳＮ：Ｓｅｒｖｉｎｇ  ＧＰＲＳ  Ｓｕｐｐｏｒｔ  Ｎｏｄｅ）１１４は、ＷＡＣＮスペース１０４の中に図示してある。また、一般論として、ＷＡＣＮスペース１０４のＰＬＭＮは、ＧＳＭ進化型高速データレート（ＥＤＧＥ：Ｅｎｈａｎｃｅｄ  Ｄａｔａ  Ｒａｔｅｓ  ｆｏｒ  ＧＳＭ  Ｅｖｏｌｕｔｉｏｎ）と、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重アクセス方式（ＣＤＭＡ：Ｃｏｄｅ  Ｄｉｖｉｓｉｏｎ  Ｍｕｌｔｉｐｌｅ  Ａｃｃｅｓｓ）ネットワーク、時分割多重アクセス方式（ＴＤＭＡ：Ｔｉｍｅ  Ｄｉｖｉｓｉｏｎ  Ｍｕｌｔｉｐｌｅ  Ａｃｃｅｓｓ）ネットワーク、ユニバーサル移動体通信システム（ＵＭＴＳ）ネットワーク、もしくは任意の第３世代パートナーシッププロジェクト（３ＧＰＰ：３ｒｄ．Ｇｅｎｅｒａｔｉｏｎ  Ｐａｒｔｎｅｒｓｈｉｐ  Ｐｒｏｊｅｃｔ）規格のネットワーク（たとえば３ＧＰＰまたは３ＧＰＰ２）等から成るグループから選択された、ネットワークを備え得る。これらは全て既知の周波数帯域幅およびプロトコルにて動作する。
【００１０】
さらに、ＵＥ装置１０２は、ＷＡＣＮスペース１０４に接続されたアクセスネットワーク（ＡＮ）スペース１０６からサービスを得ることができる。一実施において、ＡＮスペース１０６は、任意のタイプの無線ＬＡＮ（ＷＬＡＮ）構造１２０の他に、１つ以上の総括的なアクセスネットワーク（ＧＡＮ）１１８をも含む。両者とも、広帯域インターネットプロトコル（ＩＰ）ベースのネットワークを用いてＵＥ装置１０２とＰＬＭＮの中心ネットワークとの間にアクセスサービスを提供することが可能な任意のＡＮとして一般化され得る。ＷＬＡＮ構造１２０は、アクセスポイント（ＡＰ）あるいは「ホットスポット」を経由してＵＥ装置１０２に短距離無線接続を提供し、様々な規格（たとえばＩＥＥＥ  ８０２．１１ｂ、ＩＥＥＥ  ８０２．１１ａ、ＩＥＥＥ  ８０２．１１ｇ、ＨｉｐｅｒＬａｎ、ＨｉｐｅｒＬａｎ  ＩＩ規格、Ｗｉ−Ｍａｘ規格、ＯｐｅｎＡｉｒ規格、Ｂｌｕｅｔｏｏｔｈ規格）を用いて実行することができる。
【００１１】
一実施形態において、ＷＡＣＮとＡＮスペースとの間の相互接続は、ある規格に従って有効化され得る。たとえば、ＧＡＮ  １１８は、３ＧＰＰ  ＴＲ  ４３．９０１および３ＧＰＰ  ＴＳ  ４３．ｘｘｘのドキュメントにおいて提示された手順と、関連するドキュメンテーションとを用いて、１つ以上のＰＬＭＮと接続され得る。同様に、ＷＬＡＮ  １２０は、３ＧＰＰ  ＴＳ  ２２．２３４、３ＧＰＰ  ＴＳ  ２３．２３４、３ＧＰＰ  ＴＳ  ２４．２３４のドキュメントにおいて提示された手順と、関連するドキュメンテーションとを用いて、少なくとも１つのＰＬＭＮのコアと相互接続され得るため、相互作用するＷＬＡＮ（Ｉ−ＷＬＡＮ）構造と呼ばれる。本発明開示の目的のために、適用可能な場合にこれらの規格が援用される。
【００１２】
ＵＥ装置１０２が配置され得るネットワーク環境１００のモザイクがあれば、ユーザが、セルラー帯域またはＷＬＡＮ帯域においてスキャンすることを通じて、ＰＬＭＮのホストから特定のＰＬＭＮを選択することが可能なメカニズムが存在することが望ましい。さらなる利点は、ユーザがサービスに対する特定のネットワークを指定することができるように、複数のＥＨＰＬＭＮの各々を独自に識別することである。
【００１３】
本開示の内容を形式化するために、ここで図２を参照する。図２には、ネットワーク環境２００の例示の実施形態が示されており、これは図１に示した一般的なネットワーク環境１００のさらに具体的なサブセットである。図示したように、無線通信ＵＥ装置１０２は、ＵＥ装置１０２にアクセス可能な１つ以上のＡＮとの接続可能性を有し、それに加え、従来のラジオアクセスネットワーク（ＲＡＮ）インフラストラクチャを介してアクセスを許可する、ＰＬＭＮのセットを探し出すことができるように、配置されている。
例として、ＡＮ−１  ２０２−１からＡＮ−Ｎ  ２０２−Ｎは、一度ＵＥ装置によって探し出された１つ以上のＰＬＭＮへのアクセスを提供する。これらは、本発明の開示の目的のために、ここでは任意のタイプのＧＡＮ、ＷＬＡＮおよび／またはＩ−ＷＬＡＮ構造（既知またはこれまで未知の）を含むように一般化されている。図示したように、無線ＡＮは、１つ以上のＰＬＭＮへの接続をサポートし得、あるいは、いずれにも全く接続しない場合もある。ＰＬＭＮには、ＵＥ装置１０２に関し、ＨＰＬＭＮ（たとえばＨＰＬＭＮ  ２０６）や１つ以上のＥＨＰＬＭＮ  ２０８と同様に、ＶＰＬＭＮ  ２０４−１から２０４−Ｍを含むことができる。ＡＮ−ＰＬＭＮ接続がサポートされる場所は、営業上の多くの要因（たとえばＡＮオペレータとＰＬＭＮオペレータとの間の契約上の取り決め）に依存し得、特定のＡＮの後ろにあるＰＬＭＮはＵＥ装置１０２にとって可視である。例として、ＡＮ−１  ２０２−１は、ＶＰＬＭＮ−ｌ  ２０４−１、ＶＰＬＭＮ−Ｍ  ２０４−２、ＥＨＰＬＭＮ（ｓ）２０８への接続をサポートする。同様に、ＡＮ−２  ２０２−１は、ＶＰＬＭＮＭ  ２０４Ｍ、ＨＰＬＭＮ  ２０６、ＥＨＰＬＭＮ（ｓ）２０８、への接続をサポートする。他方、ＡＮ−Ｎ  ２０２−Ｎは広域ＰＬＭＮに対して接続を有していない。さらに、ＵＥ  １０２は、無線ＡＮによって様々なＰＬＭＮにアクセスできることに加え、さらにＰＬＭＮを直接探し出すセルラー帯域をスキャンすることができる。
【００１４】
既知であるように、各々の広域セルラーＰＬＭＮは、多数のセルとして配置され得、各セルはセクタ（たとえば、ベースステーション（ＢＳ）またはセル当たり、１２０度のセクタが３つのものが代表的である）を有する。個々のセルにはそれぞれそれらを識別するためにＣｅｌｌ  Ｇｌｏｂａｌ  Ｉｄｅｎｔｉｆｉｃａｔｉｏｎ（ＣＧＩ）パラメータが規定される。セルのグループは、一般的にローカルエリア（ＬＡ）として指定され、ＬＡ識別子（ＬＡＩ）によって識別され得る。マクロレベルでは、ＰＬＭＮは根本的なセルラー技術に従って識別され得る。たとえば、ＧＳＭベースのＰＬＭＮは、モバイル国コード（ＭＣＣ：Ｍｏｂｉｌｅ  Ｃｏｕｎｔｒｙ  Ｃｏｄｅ）およびモバイルネットワークコード（ＭＮＣ：Ｍｏｂｉｌｅ  Ｎｅｔｗｏｒｋ  Ｃｏｄｅ）で構成された識別子によって識別され得る。ＣＤＭＡベースおよび／またはＴＤＭＡベースのＰＬＭＮは、システム識別（ＳＩＤ）パラメータおよび／またはネットワーク識別（ＮＩＤ）パラメータによって識別され得る。セルラーインフラストラクチャとは関わりなく、セルはすべてマクロレベルＰＬＭＮ識別子を散布し、それによってサービスの取得を所望する無線機器（例えばＵＥ機器１０２）が無線ネットワークを識別することができる。
【００１５】
また、加入者は独自の識別子を与えられる。この識別子は、根本的なセルラーインフラストラクチャによって変動可能であり、少なくとも一部が、ネットワーク識別子の構築に使用されるパラメトリックの一部で構成されている。ＧＳＭにおいて、たとえば、国際移動電話加入者識別番号（ＩＭＳＩ）パラメータは独自に加入者を識別し、［ＭＣＣ］［ＭＮＣ］［ＭＩＮ］として構築される。なお、［ＭＣＣ］は加入者の出身国を識別し、［ＭＮＣ］はＰＬＭＮネットワークを識別する。また、［ＭＩＮ］は、ネットワーク内にモバイルユニット（すなわちＵＥ無線装置）を識別する、独自のＩＤである。
【００１６】
例示の目的で、本発明の開示の実施形態を、特にＧＳＭネットワークに関して例示する。ただし、本明細書中に示す内容が、他のセルラーネットワークにおいて、必要な変更を加えて同様に応用され得るということは認識されるべきである。図３Ａおよび図３Ｂは、一実施形態に基づき、ネットワーク選択を可能にするためにＵＥ装置を提供され得る、例示のデータベース構造を示す。参照符３００Ａは、同じネットワークとして識別され得る［ＭＣＣ］３０２Ａと［ＭＮＣ］３０２Ｂとの組合せのリストを含む、基本データベース構造を指す。同等の回路網の場合、［ＭＣＣ］と［ＭＮＣ］との組合せは、加入者に関連するＩＭＳＩに対しＥＨＰＬＭＮを識別し得る。参照符３０４、３０６、３０８は、３つのネットワークの例を指す。ネットワーク３０４とネットワーク３０６とは同一の［ＭＣＣ］、すなわち［ＡＢＣ］を共有し、ネットワーク３０４とネットワーク３０８とは同一の［ＭＮＣ］、すなわち［ＸＹＺ］を共有している。一実施形態の例において、データ構造３００Ａは、無線ＵＥ装置において操作可能な加入者識別モジュール（ＳＩＭ：Ｓｕｂｓｃｒｉｂｅｒ  Ｉｄｅｎｔｉｔｙ  Ｍｏｄｕｌｅ）カードまたはリムーバブルユーザ識別モジュール（ＲＵＩＭ：Ｒｅｍｏｖａｂｌｅ  Ｕｓｅｒ  Ｉｄｅｎｔｉｔｙ  Ｍｏｄｕｌｅ）カード上に、基本ファイル（ＥＦ）構造として格納され得る。
別の実施形態において、無線ＵＥ装置に統合されたメモリモジュールにデータ構造３００Ａを格納することができる。
【００１７】
参照符３００Ｂは、ネットワーク選択を可能にするために追加情報が与えられ得る、高度なデータベース構造を指す。Ｍａｓｔｅｒ［ＭＣＣ］［ＭＮＣ］カラム３２０は、ＩＭＳＩの［ＭＣＣ］および／または［ＭＮＣ］部分と合致する、［ＭＣＣ］と［ＭＮＣ］との組合せ（すなわち、Ｍａｓｔｅｒ  Ｈｏｍｅ  ＰＬＭＮ）を識別する。ネットワークネームカラム３２２は、名前によってマスターネットワークを識別する。ホームネットワーク（ＥＨＰＬＭＮ）カラム３２４は、Ｍａｓｔｅｒ［ＭＣＣ］［ＭＮＣ］のペアの各々に対するホームネットワークのリストを含む。一実施において、ホームネットワークを識別する［ＭＣＣ］と［ＭＮＣ］との組合せは、優先順に提供され得る。たとえば、位置の優先は、トップにある［ＭＣＣ］と［ＭＮＣ］との組合せがそれより下にある組み合わせよりも高い優先度を有するように実施され得、あるいは、左にある［ＭＣＣ］と［ＭＮＣ］との組合せが、右にある組み合わせよりも高い優先度を有するように実施され得る。さらに、ＰＬＭＮの優先度を示す指標がデータベース構造３００Ｂに添付された、明確な優先順位が提供され得る。たとえば、［０］という値は最も高い優先度を示し得る。優先度標識が格納されていない場合、ＰＬＭＮはすべて等しい優先度を有する。印カラム３２５は、ホームネットワークリスト３２４にリストされた各ＰＬＭＮを独自に識別するために与えられ、印は、独自の識別名を含み得る。識別名は、関連するＭａｓｔｅｒ［ＭＣＣ］［ＭＮＣ］のペアまたはそのペアに関連するネットワーク名を指すもののいくつかを含むことができる。
【００１８】
引き続き図３Ｂを参照する。Ｍａｓｔｅｒ［ＭＣＣ］［ＭＮＣ］の組合せ３０４および３０８は、名前ＡＬＰＨＡ−ＣＥＬＬＵＬＡＲ  ３２６およびＢＥＴＡ−ＣＥＬＬＵＬＡＲ  ３２８とそれぞれ識別される。Ｍａｓｔｅｒ［ＭＣＣ］［ＭＮＣ］の組合せ３０４に対し、３つのホームネットワーク、すなわち、［ＭＣＣａ、ＭＮＣａ］３３０−１、［ＭＣＣｂ、ＭＮＣｂ］３３０−２、［ＭＣＣｃ、ＭＮＣｃ］３３０−３が提供され、それぞれは名前によって独自に識別される。同様に、Ｍａｓｔｅｒ［ＭＣＣ］［ＭＮＣ］の組合せ３０８に対し、２つのホームネットワーク、すなわち、［ＭＣＣｇ、ＭＮＣｇ］３３２−１および［ＭＣＣｈ、ＭＮＣｈ］３３２−２が提供される。前述したように、データ構造３００Ｂは、無線ＵＥ装置に統合されたメモリモジュールの一部として提供され得る。
【００１９】
一実施において、無線ＵＥ装置は、始動によって、機器に挿入されたＳＩＭ／ＲＵＩＭカードの能力を決定することが可能である。ＳＩＭ／ＲＵＩＭカードがＥＨＰＬＭＮのリストを含むことを無線機器が探し出す場合、機器はリストをその後のネットワーク選択操作に利用する。ＳＩＭ／ＲＵＩＭカードがＰＬＭＮのリストを含んでいない場合、無線機器は加入者のＩＭＳＩを読むことができる。その後、ＩＭＳＩの［ＭＣＣ］と［ＭＮＣ］とのペアに対して、そのメモリ内に格納されたホームネットワークリストが無線機器に提供されている場合、格納されたＰＬＭＮデータベースは、特定のＩＭＳＩに関連したＨＰＬＭＮのリストを見つけるために使用され得る。ホームネットワークリストが提供されていない場合、無線ＵＥ装置は、一般に指定されるようなネットワーク探し出す手順を行なうことができる。
【００２０】
図４は、ネットワーク選択方法の一実施形態のフローチャートを示す。図示したように、無線ＵＥ装置は、１つ以上の周波数帯において走査することができる（ブロック４０２）。この周波数帯において、機器が配置されているローカルエリア内で利用可能なＰＬＭＮをすべて探し出す走査手順を、広帯域において機器がサポートする。前述したように、一部のＰＬＭＮは、適切な無線ＡＮ走査プロセスを介してＵＥによって探し出され得る。このプロセスは、以下のものから成るグループ：ＩＥＥＥ  ８０２．１１ｂ規格、ＩＥＥＥ  ８０２．１ｌａ規格、ＩＥＥＥ  ８０２．１１ｇ規格、ＨｉｐｅｒＬａｎ規格、ＨｉｐｅｒＬａｎ  ＩＩ規格、Ｗｉ-Ｍａｘ規格、ＯｐｅｎＡｉｒ規格、Ｂｌｕｅｔｏｏｔｈ規格から選択されたＷＬＡＮ規格に合った、周波数帯において、有効化される。例として、ＵＥがデュアルモード可能である場合で、かつＵＥがＰＬＭＮを探し出した際、ＵＥは、ＰＬＭＮがそれ以上探し出されなくなるまで、識別番号（たとえば［ＭＣＣ］と［ＭＮＣ］との組合せ）を、ユーザと関連づけてネットワークのメモリもしくはＳＩＭカードまたはＲＵＩＭカード内に格納する。さらなる変形として、ＵＥは、探し出されたＰＬＭＮの［ＭＣＣ、ＭＮＣ］の組合せを全て格納することに加えて、特定のＰＬＭＮがＧＰＲＳ可能であるか否かを格納することができ、このような能力はＰＬＭＮインフラストラクチャからブロードキャストされ得る。ＵＥは、現在の３ＧＰＰ  ＴＳ  ２３．２３４および３ＧＰＰ  ＴＳ  ２４．２３４仕様（ここに援用する）に定義された、ＷＬＡＮのためのネットワーク発見手順を実行することができる。ＷＬＡＮが、ＨＰＬＭＮだとわかっているサービスセットＩＤ（ＳＳＩＤ）を探し出した場合、ＵＥはルートネットワークアクセス識別子（ＮＡＩ）を用いて、そのＷＬＡＮを認証する。そうでない場合、ＵＥは、３ＧＰＰ  ＴＳ  ２３．２３４および３ＧＰＰ  ＴＳ  ２４．２３４仕様において規定されるネットワーク発見を実行する。
【００２１】
さらなる変形として、ＷＬＡＮアクセスに関して３ＧＰＰ仕様において定義されたＳＳＩＤリストに加え、さらなるＳＳＩＤ／ＰＬＭＮリストやそれに関連するフィルタリングの基準をも格納することができる。その結果、ＰＬＭＮアクセスをサポートするＷＬＡＮをＵＥが知るだけでなく、ネットワーク選択を高速化し、ユーザの経験を最適化および／またはカスタマイズするためのメカニズムが提供される。例として、以下のリストが定義され得る。
【００２２】
−  ＷＬＡＮアクセスのオペレータ制御の優先（Ｐｒｅｆｅｒｒｅｄ）ＳＳＩＤ、
−  ＷＬＡＮアクセスのユーザ制御のＳＳＩＤ、
−  ＷＬＡＮアクセスの禁止されたＳＳＩＤ、
−  ＷＬＡＮアクセスのオペレーター制御の優先ＰＬＭＮ、
−  ＷＬＡＮアクセスのユーザ制御のＰＬＭＮ、
−  ＷＬＡＮアクセスの禁止されたＰＬＭＮ、
ＳＳＩＤおよびＰＬＭＮの優先度は、リスト内のその位置によって指示される。
【００２３】
ＵＥのローカルエリアにおいて利用可能なＰＬＭＮのリストを識別すると（ブロック４０４）、各ＰＬＭＮに関連した独自の印は、ディスプレイを介してユーザに提示される（ブロック４０６）。独自の印は、マスターＨＰＬＭＮ（ここで等しいＨＰＬＭＮが識別される）に対し、名前か、それ以外のものによる参照を含み得る。また、能力ベースの印も、一部の実施形態において示され得る。その後、ユーザは特定のＰＬＭＮを選択することができる。選択は、少なくとも一部は、登録のためのネットワークに関連する印に基づいて行われる（ブロック４０８）。ユーザが、任意の原因（信号強度が不十分である、ＩＰの機能性不足、サービスの質等）によって、選択されたＰＬＭＮの変更を所望する（決定ブロック４１０）場合、利用可能なＰＬＭＮのリストから別のＰＬＭＮが選択され得る（ブロック４１２）。変更を所望しない場合、ユーザは、以前に選択したＰＬＭＮを用いて登録プロセスを続行し得る（ブロック４１４）。
【００２４】
図５は、上述の方法論に関し、例示のメッセージのフローダイアグラムを示す。１つ以上のネットワークノード５０４は、エアインターフェース５０２を介し、関連するコントロールチャンネルにわたって情報をブロードキャストできる。本発明の開示の内容に基づき、ネットワークノード５０４は、様々なセルラーネットワーク内に展開した、基地局（ＢＴＳ）ノードを含み得る。参照符号５０６−１から５０６−Ｎは、指定の反復レートでネットワークノードによってブロードキャストされる、コントロールチャンネルメッセージを指す。一実施において、ブロードキャスト情報は、他のタイプの情報の中に、ネットワークの識別情報、能力情報、近傍のセルの情報を含み得る。ＵＥ１０２は、エアインターフェース５０２を介し、ブロードキャスト情報を読むことができ、また、格納されたＰＬＭＮの印のデータベースに少なくとも部分的に基づいて、探し出されたＰＬＭＮの各々を独自に識別する適切な印を、ユーザに対して表示する（ブロック５１０）。特定のネットワークを選択すると、ＵＥ１０２は、選択されたネットワーク５１４への登録５１２を実行することができる。
【００２５】
図６は、複数のＰＬＭＮの有効性を用いて、例示のローカルエリア６００の視覚表示を示す。３つのネットワーク、ＰＬＭＮａ  ６０２−１、ＰＬＭＮｂ  ６０２−２、ＰＬＭＮｃ  ６０２−３を示す。ネットワークカバレージのオーバーラップのため、図示した設定においては１つ以上のマルチネットワークカバレージエリアまたはＭＮＣＡが可能である。たとえば、ＭＮＣＡ  ６０４−１は、ＰＬＭＮａとＰＬＭＮｃとの両方が利用可能なカバレージエリアを定義する。同様に、ＭＮＣＡ  ６０４−２はＰＬＭＮａ／ＰＬＭＮｂの組合わせのカバレージエリア、ＭＮＣＡ  ６０４−３は、ＰＬＭＮｂ／ＰＬＭＮｃの組合せを有するカバレージエリアをそれぞれ定義する。さらに、ＭＮＣＡ  ６０６は、３つのネットワークがすべて利用可能な領域を定義する。ＵＥがローカルエリア６００で多数のネットワークを探し出す場合、ネットワークがＥＨＰＬＭＮである場合であっても、各々は独自のＩＤを有するユーザに対して表示される。
【００２６】
以下に、ネットワーク選択が本発明の開示の教示に従ってなされ得る場合の、例示的なシナリオを示す。
【００２７】
Ｉ．ＵＥ装置が、ホームネットワークと識別し得る１つのＰＬＭＮを探し出（ｄｉｓｃｏｖｅｒ）した場合、考えられる実施は２つ発生する。ＨＰＬＭＮの場合、機器は、マスターＨＰＬＭＮとして識別されるネットワークＩＤ（たとえば［ＭＣＣ］［ＭＮＣ］の組合せ）のみを表示するか、機器に格納されていれば、ネットワークＩＤに関連する名前および／または印を表示し得る。別の実施において、追加の識別子もしくは、マスターネットワークＩＤまたはその名前への参照が追加され得る。
【００２８】
ＩＩ．手動選択モードにおいて、ＵＥ装置が同一のネットワーク名を有すると識別する２つ以上のＰＬＭＮを探し出した場合、機器は、２つ以上のネットワーク例が利用可能であるということをユーザに表示する。ＥＨＰＬＭＮの場合、識別は、マスターホームネットワークＩＤに、いくつかの付加的なテキストまたは数値の情報を添付することにより解決され得る。
【００２９】
ＩＩＩ．多数のＥＨＰＬＭＮの場合に関する別の実施において、無線ＵＥ装置は、マスターホームネットワークＩＤを表示し、続いて、下記のうちの１つを行い得る。
（ａ）  機器のユーザはマスターホームネットワークを選択し、選択は、機器が使用中のリスト内で最高の優先度を有する特定のＨＰＬＭＮを機器が選択することによって解決される。
（ｂ）  機器のユーザはマスターホームネットワークを選択し、選択は、機器が探し出した最初のＨＰＬＭＮを機器が選択することによって解決される。
（ｃ）  機器のユーザはマスターホームネットワークを選択し、選択は、信号強度が最も高い特定のＨＰＬＭＮを機器が選択することによって解決される。
（ｄ）  ユーザによってマスターホームネットワークを選択すると、機器は、機器が使用中のリスト内で最高の優先度を有する特定のＨＰＬＭＮを選択し得る。機器によってさらに走査することが必要であり、同一のＰＬＭＮまたはＰＬＭＮのサブセットが続いて探し出された場合、機器は別のネットワークを選択し得るが、これは必ずしも以前に選択されたＨＰＬＭＮではない可能性がある。
（ｅ）  ユーザによってマスターホームネットワークを選択すると、機器は、特定のＨＰＬＭＮをリストからランダムに選択し得る。
【００３０】
ＩＶ．単一のネットワーク名が与えられた複数の［ＭＣＣ］［ＭＮＣ］の組合せが存在する場合、無線ＵＥ装置は、それらが別個のネットワークであることを示すサフィックス（ｓｕｆｆｉｘ）を含む、各組合せのネットワーク名を表示し得る。また、各ネットワークの能力が確認され、ユーザに対して表示され得る。
【００３１】
図７は、本発明の開示の内容に基づいて述べられたネットワーク選択手順を実行することが可能な、ＵＥ無線装置７００の一実施形態のブロック図を示す。本明細書に示すものに関して、ＵＥ１０２の一実施形態は図７に示すものと類似の配置を含み得るが、図示した多様なモジュールに対し、ハードウェアまたはソフトウェアまたはファームウェアにおいて多様な変更および修正が存在し得るということは、当業者によって認識されよう。したがって、図７の配置は、本発明の開示の実施形態に対して制限するものではなく、例示説明的なものと理解されたい。ＵＥ７００の全体的な制御を行うマイクロプロセッサ７０２は、通信サブシステム７０４に、動作可能なように接続される。通信サブシステム７０４は、複数の帯域に及ぶマルチモード通信を実行するための、発信器および／または受信器（トランシーバ）機能を含む。例として、広域無線通信Ｔｘ／Ｒｘモジュール７０６と、無線ＡＮ  Ｔｘ／Ｒｘモジュール７０８とを図示してある。特に図示していないが、Ｔｘ／Ｒｘモジュールは、それぞれ１つ以上の局部発振器（ＬＯ）モジュール、ＲＦスイッチ、ＲＦ帯域通過フィルタ、Ａ／ＤおよびＤ／Ａコンバータ等の、その他の関連コンポーネントや、デジタル信号プロセッサ（ＤＳＰ）等の処理モジュールや、ローカルメモリ等を含み得る。通信サブシステム７０４の具体的な設計は、ＵＥ装置が動作するよう意図される通信ネットワークに依存し得るということは、通信分野の当業者にとっては明白であろう。一実施形態において、通信サブシステム７０４は、音声通信とデータ通信との両方が可能である。
【００３２】
マイクロプロセッサ７０２は、補助入力／出力（Ｉ／Ｏ）７１８、シリアルポート７２０、ディスプレイ７２２、キーボード７２４、スピーカ７２６、マイクロホン７２８、ランダムアクセスメモリ（ＲＡＭ）７３０、短距離通信サブシステム７３２、広義に参照符号７３３として番号をつけたその他の任意のデバイスサブシステム等の、さらなるデバイスサブシステムとも連動する。アクセスを制御するために、ＳＩＭおよび／またはＲＵＩＭインタフェース７３４は、マイクロプロセッサ７０２との通信においても提供される。一実施において、ＳＩＭおよび／またはＲＵＩＭインタフェース７３４は、ＳＩＭおよび／またはＲＵＩＭカードを用いて操作することができる。ＳＩＭおよび／またはＲＵＩＭカードは、多数のキー構造７４４と、以上に詳細に説明した、識別番号、加入者関連データ、１つ以上のＳＳＩＤおよび／またはＰＬＭＮのリストならびにフィルタ等の他の情報７４６を有する。
【００３３】
オペレーティングシステムソフトウェアおよびその他のコントロールソフトウェアは、フラッシュメモリ７３５等の持続性記憶モジュール（すなわち不揮発性記憶装置）内で具体化され得る。一実施において、フラッシュメモリ７３５は、異なる領域へ分離され得る。領域には、たとえば、コンピュータプログラム用の記憶領域７３６の他に、機器の状態７３７、アドレス帳７３９、他の個人情報管理ソフト（ＰＩＭ）データ７４１、広義に参照符号７４３として番号をつけたその他のデータ記憶領域等の、データ記憶領域がある。また、適切なネットワークの発見および／または選択ロジック７４０が、様々な手順、相関性技術、前述の部分において述べたディスプレイ選択メカニズム等を実行するための持続性記憶装置の一部として提供され得る。ＳＳＩＤおよび／またはＰＬＭＮリスト、選択および／または走査フィルタ、能力指標等を格納するために、記憶モジュール７３８がネットワークの発見および／または選択ロジック７４０に関連づけられる。これらについても以上で詳細に説明した。
【００３４】
本特許出願の実施形態の動作および構成は、以上に述べた詳細な説明から明白であろう。図示説明した実施形態を、より好ましいものとして特徴づけたが、以下の請求項において示す本発明の範囲から逸脱することなく、多様な変更および修正がなされ得るということは容易に理解できよう。
【図面の簡単な説明】
【００３５】
【図１】本発明の開示の一実施形態が実行され得る、一般的なネットワーク環境を示す。
【図２】本発明の開示の内容に基づき、ユーザ装備（ＵＥ）無線装置が、ネットワークの発見および選択が可能なように配置される、ネットワーク環境の実施形態の例を示す。
【図３Ａ】本発明の開示の内容に基づき、ＵＥ装置が提供され得る、例示のデータベース構造を示す。
【図３Ｂ】本発明の開示の内容に基づき、ＵＥ装置が提供され得る、例示のデータベース構造を示す。
【図４】ネットワークの選択方法の一実施形態の、フローチャートを示す。
【図５】本発明の開示の、メッセージの例のフロー図を示す。
【図６】複数のＰＬＭＮの有効性を用いて、例示のローカルエリアの視覚表示を示す。
【図７】本発明の開示の内容に基づいて述べられたネットワーク選択手順を実行することが可能な、ＵＥ無線装置の一実施形態のブロック図を示す。
【符号の説明】
【００３６】
１０２  ユーザ装備（ＵＥ）装置
３００Ｂ  データベース構成
３２５  印
７００  ユーザ装備（ＵＥ）装置
７０４  通信サブシステム
７０６  トランシーバモジュール
７３８  メモリモジュール
７４０  ロジックモジュール
【図１】
2006197608.tif 000003
【図２】
2006197608.tif 000004
【図３Ａ】
2006197608.tif 000005
【図３Ｂ】
2006197608.tif 000006
【図４】
2006197608.tif 000007
【図５】
2006197608.tif 000008
【図６】
2006197608.tif 000009
【図７】
2006197608.tif 000010